(57)【要約】【課題】家具用固定具の位置決めを正確に行ったうえ粘着面を家具、壁面に固定することができる家具用固定具を提供する。【解決手段】壁面（ハ）への取付部となる支持体取付板部１１の前面に家具の取付部となる家具取付板部１２を張出させて、該支持体取付板部１１の後面と家具取付板部１２の下面に粘着材２、２を貼着した家具用固定具本体１と、家具（イ）の天板部上面（ロ）に載置して家具用固定具本体１の位置決め後に取り除く固定具位置決めシート３よりなるものとする。【選択図】図２
0003127429.tif 000002
【実用新案登録請求の範囲】
【請求項１】
壁面への取付部となる支持体取付板部の前面に家具の取付部となる家具取付板部を張出させたうえ該支持体取付板部の後面と家具取付板部の下面に粘着材を貼着してなる家具用固定具本体と、家具の天板部上面に載置して家具用固定具本体の位置決め後に取り除く固定具位置決めシートよりなることを特徴とする家具用固定具。
【請求項２】
固定具位置決めシートを１枚の滑性シートを二つ折りにして形成して折返し縁を家具の天板部上面の後端に位置させるとともに上方の折返片部を粘着材の支持面とし、また、下方の折返片部の前縁を家具取付板部の前端より長くした請求項１に記載の家具用固定具。
【考案の詳細な説明】
【技術分野】
【０００１】
本考案は、地震時の揺れにより家具、家電製品が転倒することを防止するため建物の壁面等に家具等を固定する家具用固定具に関するものである。
【背景技術】
【０００２】
地震時の揺れにより家具が転倒するのを防止するため、家具を建物の壁面に固定するための家具用固定具としては、例えば、壁面と家具の天板とを木ねじによりＬ字状の金具を取り付けて固定したものがある。しかし、これは壁面と家具を傷つけることとなり、また、壁面がコンクリートのような木ねじが使用できなものである場合にはドリルにより穴をあけてコンクリート用ねじにより行う必要があり作業が厄介であった。
【０００３】
また、木ねじによらず粘着材により家具用固定具を家具と壁面により固定するものも実開昭５５−１７２４６号として知られている。しかし、これは、固定時に固定具の位置がずれていた場合にそのまま粘着材の面が固定されることがあり、剥がして再度固定すると粘着面が汚れて粘着力を損じるという問題がある。
【特許文献１】実開昭５５−１７２４６号公報
【考案の開示】
【考案が解決しようとする課題】
【０００４】
本考案は前記のような問題点を解決して、家具用固定具の位置決めを正確に行ったうえ粘着面を家具、壁面に固定することができる家具用固定具を提供することを目的として完成されたものである。
【課題を解決するための手段】
【０００５】
本考案の家具用固定具は、壁面への取付部となる支持体取付板部の前面に家具の取付部となる家具取付板部を張出させたうえ該支持体取付板部の後面と家具取付板部の下面に粘着材を貼着してなる家具用固定具本体と、家具の天板部上面に載置して家具取付板部の位置決め後に取り除く固定具位置決めシートよりなることを特徴とするものを基本の考案とする。
【０００６】
また、前記の考案において、固定具位置決めシートを１枚の滑性シートを二つ折りにして形成して折返し縁を家具の天板部上面の後端に位置させるとともに上方の折返片部を粘着材の支持面とし、また、下方の折返片部の前縁を家具取付板部の前端より長くしたものとすることが好ましいものである。
【考案の効果】
【０００７】
前記した本考案の家具用固定具は、家具用固定具本体により家具を壁面に固定する際に、固定具位置決めシートを家具の天板部上面に載置して該固定具位置決めシートに家具用固定具本体の家具取付板部の下面に貼着した粘着材を支持するとともに支持体取付板部を家具の後端面と壁面間に位置させて家具用固定具本体を家具の天板部上面に仮置きする。その後、家具用固定具本体を壁面側にスライドすれば、家具取付板部は固定具位置決めシート上を滑るか、固定具位置決めシート共々壁面側に移動して支持体取付板部の後面に貼着した粘着材が壁面に貼着するとともに家具取付板部の家具の天板部上面に支持されている粘着材が他物に触れて粘着力を損じる不都合もなく家具用固定具本体の取付位置が決まることとなる。
【０００８】
続いて、固定具位置決めシートを引き抜けば家具取付板部の下面に貼着した粘着材が家具の天板部上面に貼着して家具を壁面に固定するものである。この場合に、固定具位置決めシートを１枚の滑性シートを二つ折りにして形成して折返し縁を家具の天板部上面の後端に位置させるとともに上方の折返片部を粘着材の支持面とし下方の折返片部の前縁を家具取付板部の前端より長くしたものとすると、下方の折返片部の前縁を手指で摘んで引くことにより上方の折返片部は後方側から徐々に下方に捲れるように剥がれるので引き抜き作業が容易なものとなる。
【考案を実施するための最良の形態】
【０００９】
次に、本考案の好ましい実施の形態を図面に基づき説明する。
１は家具用固定具本体であり、該家具用固定具本体１は壁面への取付部となる支持体取付板部１１の前面に家具の取付部となる家具取付板部１２を張出させて、支持体取付板部１１の後面と家具取付板部１２の下面に貼着したものである。なお、２ａは粘着材２の表面を覆う剥離用保護シートであり、取付前に粘着材２が不用意に他物に触れて粘着力を損じることを防止するものであり、取付時には剥離するものである。
【００１０】
３は固定具位置決めシートであり、該固定具位置決めシート３は家具（イ）の天板部上面（ロ）に載置して家具用固定具本体１の家具取付板部１２の天板部上面（ロ）の位置が決まった後に取り除くものである。なお、図示の固定具位置決めシート３は、1枚の滑性シート３０を二つ折りにして形成して折返し縁３１を家具（イ）の天板部上面（ロ）の後端に位置させるとともに上方の折返片部３２を粘着材の支持面とし、また、下方の折返片部３３の前縁３３ａを家具取付板部１２の前端より長くしたものとしている。
【００１１】
このように構成されたものは、家具用固定具本体１により家具（イ）を壁面（ハ）に固定する際に、先ず、図１に示すように家具用固定具本体１の支持体取付板部１１の後面と家具取付板部１２の下面に貼着した粘着材２、２の表面が剥離用保護シート２ａ、２ａにより覆われているものである場合には該剥離用保護シート２ａ、２ａを剥離しておく。
【００１２】
次に、図２に示すように固定具位置決めシート３を家具（イ）の天板部上面（ロ）に載置する。そして、図３に示すように該固定具位置決めシート３に家具用固定具本体１の家具取付板部１２の下面に貼着した粘着材２を支持するとともに支持体取付板部１１を家具（イ）の後端面と壁面（ロ）間に位置させて家具用固定具本体１を家具（イ）の天板部上面（ロ）に仮置きする。その後、家具用固定具本体１を壁面（ロ）側にスライドすれば、家具取付板部１２は固定具位置決めシート３上を滑るか、固定具位置決めシート３を伴って壁面（ハ）側に移動して支持体取付板部１１の後面に貼着した粘着材２が壁面（ハ）に貼着するとともに、家具用固定具本体１の家具（イ）の天板部上面（ロ）の取付位置が決まることとなる。
【００１３】
続いて、固定具位置決めシート３を引き抜けば家具取付板部１２の下面に貼着した粘着材２が家具（イ）の天板部上面（ロ）に貼着して家具用固定具本体１が所定の位置で家具（イ）を壁面（ハ）に固定するものである。この場合に固定具位置決めシート３を、１枚の滑性シート３０を二つ折りに形成して折返し縁３１を家具（イ）の天板部上面（ロ）の後端に位置させるとともに上方の折返片部３２を粘着材２の支持面とし下方の折返片部３３の前縁３３ａを家具取付板部１２の前端より長くさせたものとすると、図５に示すように下方の折返片部３３の前縁３３ａを手指で摘んで引くことにより上方の折返片部３２は後方側から徐々に下方に捲れるように剥がれるので引き抜き作業が容易なものとなる。
【００１４】
なお、前記した家具用固定具本体１はＡＢＳ樹脂よりなるものが強靭で好ましいが、ポリプロピレン等の他の合成樹脂やスチール製のものであってもよい。また、粘着材２はウレタン系強粘着材が粘着力に優れているうえ家具の移動させる必要がある場合に固定を解除する際に綺麗に家具、壁面から剥がすことができ好ましいが、家具を壁面に固定することができるものであれば特に限定されるものでない。
【図面の簡単な説明】
【００１５】
【図１】本考案の実施形態を示す一部切欠斜視図。
【図２】本考案の実施形態の態様を異にして示す斜視図。
【図３】家具用固定具本体を家具の天板部上面に仮置した状態を示す側面図。
【図４】家具用固定具本体を壁面側にスライドさせた状態を示す側面図。
【図５】固定具位置決めシートを引き抜く状態を示す側面図。
【符号の説明】
【００１６】
１  家具用固定具本体
11  支持体取付板部
12  家具取付板部
２  粘着材
３  固定具位置決めシート
30  滑性シート
31  折返し縁
32  上方の折返片部
33  下方の折返片部
イ  家具
ロ  天板部上面
ハ  壁面
【図１】
0003127429.tif 000003
【図２】
0003127429.tif 000004
【図３】
0003127429.tif 000005
【図４】
0003127429.tif 000006
【図５】
0003127429.tif 000007